(57)【要約】【課題】収納位置での長さを短くすることができるレンズ鏡筒及び撮像装置を提供する。【解決手段】レンズ鏡筒は、主ガイド部２０１ａ及び副ガイド部２０１ｂが配設された第１レンズ保持部材２０１を有する１群レンズ駆動部２、ガイド軸部５ａを有する第１地板部材５、バリア部材６、７、バリア駆動部８、直進筒１６、カム筒１７、固定筒１９等を備える。第１レンズ保持部材２０１の主ガイド部２０１ａの被写体側のフォーカスストローク領域Ｌ１を、バリア部材６、７の開閉動作面Ｄと光軸方向に重なるように設定する。第１レンズ保持部材２０１の主ガイド部２０１ａを、第１レンズ保持部材２０１と一体で形成する。第１地板部材５に、第１レンズ保持部材２０１の副ガイド部２０１ｂと係合するガイド軸部５ａを一体で形成する。【選択図】図１
2007140498.tif 000002
【特許請求の範囲】
【請求項１】
撮影レンズの前面を開閉可能に覆うバリア部材と、
前記バリア部材を開閉動作させるバリア駆動機構と、
前記撮影レンズを保持する保持部及び前記撮影レンズを光軸方向にガイドするガイド部を有するレンズ保持部材と、
前記レンズ保持部材を光軸方向に進退動作させるレンズ駆動機構とを備え、
前記レンズ保持部材の前記ガイド部は、前記バリア部材の開閉動作領域を含む面を横切る位置まで移動可能に設定されていることを特徴とするレンズ鏡筒。
【請求項２】
前記ガイド部のほか、ガイド機能及び前記レンズ保持部材の回転を阻止する機能を有するガイド部を更に含むことを特徴とする請求項１記載のレンズ鏡筒。
【請求項３】
前記レンズ保持部材の前記ガイド部は、前記レンズ保持部材と一体で形成されていることを特徴とする請求項１記載のレンズ鏡筒。
【請求項４】
収納位置と撮影位置との間を光軸方向に進退可能に構成されていることを特徴とする請求項１乃至３の何れかに記載のレンズ鏡筒。
【請求項５】
前記請求項１乃至４の何れかに記載のレンズ鏡筒を備えることを特徴とする撮像装置。
【発明の詳細な説明】
【技術分野】
【０００１】
本発明は、撮影レンズを保護するためにレンズ鏡筒前面側に配設されるバリア部材を有するバリア機構及びフォーカス機構を備えたレンズ鏡筒及び撮像装置に関する。
【背景技術】
【０００２】
従来、カメラに装着されるレンズ鏡筒として、バリア機構及びフォーカス機構を備えたレンズ鏡筒が知られている。バリア機構は、レンズ鏡筒前面側に配設されるバリア部材を、撮影位置と収納位置との間を光軸方向に進退するレンズ鏡筒の動きに連動して開閉するものであり、レンズ鏡筒の上記収納位置でバリア部材を閉じてレンズ鏡筒の最前面側のレンズ群を保護する機構である。フォーカス機構は、フォーカス動作が可能なように最前面側のレンズ群を光軸方向に駆動する機構である。
【０００３】
以下、従来例に係るバリア機構及びフォーカス機構を備えたレンズ鏡筒（例えば、特許文献１参照）について説明する。尚、下記の説明で用いる符号は特許文献１に記載されている符号である。
【０００４】
まず、バリア機構について説明する。バリア機構は、バリア２、３と鏡筒枠１の間に配置された駆動リング４と、バリア２、３と駆動リング４との間に掛けられたバネ５、６と、駆動リング４と鏡筒枠１のダボ１ｃとの間に掛けられたバネ７とから構成されている。駆動リング４の回動により、バリア２、３の開閉が行われる。
【０００５】
次に、フォーカス機構について説明する。フォーカス機構では、ガイドとしてのバー９が、枠体（図示略）により直線移動可能に支持されると共に鏡筒ユニット８に接着されている。鏡筒ユニット８には、カム１１に当接したピン１０が固着されている。そして、カム１１が回動することにより、バー９と共に鏡筒ユニット８が光軸方向に移動し、フォーカス動作を行うようにしている。レンズ鏡筒は、バリアの非全開時にバー９が駆動リング４の突起部４ｃに当接して、バリアが全開するまでは鏡筒ユニット８の更なる前進を阻止するようになっている。
【特許文献１】特開平６−２７５１９号公報
【発明の開示】
【発明が解決しようとする課題】
【０００６】
しかしながら、上記特許文献１で提案されているレンズ鏡筒では、駆動リング４よりも後方側で、鏡筒ユニット８の光軸方向移動のガイド部を構成すると共にレンズ群の移動ストローク（フォーカスストローク）を確保する必要がある。そのため、フォーカスストローク領域とバリア開閉動作面とを、光軸方向に直列（駆動リング４のレンズ群側）に構成することになり、レンズ鏡筒の収納位置での長さ（沈胴長）が大きくなってしまうという問題があった。また、鏡筒ユニット８にバー９を接着することで、鏡筒ユニット８の光軸方向移動のガイドとしているため、レンズ鏡筒はレンズ光軸とバー９との平行度の確保という観点からは不利な構成であった。
【０００７】
本発明の目的は、収納位置での長さ（沈胴長）を短くすることができるレンズ鏡筒及び撮像装置を提供することにある。
【課題を解決するための手段】
【０００８】
上述の目的を達成するために、本発明のレンズ鏡筒は、撮影レンズの前面を開閉可能に覆うバリア部材と、前記バリア部材を開閉動作させるバリア駆動機構と、前記撮影レンズを保持する保持部及び前記撮影レンズを光軸方向にガイドするガイド部を有するレンズ保持部材と、前記レンズ保持部材を光軸方向に進退動作させるレンズ駆動機構とを備え、前記レンズ保持部材の前記ガイド部は、前記バリア部材の開閉動作領域を含む面を横切る位置まで移動可能に設定されていることを特徴とする。
【発明の効果】
【０００９】
本発明によれば、レンズ保持部材のガイド部を、バリア部材の開閉動作領域を含む面を横切る位置まで移動可能に設定しているため、レンズ鏡筒の収納位置での長さ（沈胴長）を短くすることが可能となる。また、請求項３に記載の発明では、レンズ保持部材のガイド部を、レンズ保持部材と一体で形成しているため、レンズ保持部材により保持する撮影レンズの光軸と、ガイド部の光軸方向中心線との平行度を確保することが容易になり、精度の高いフォーカス機構を実現することが可能となる。
【発明を実施するための最良の形態】
【００１０】
以下、本発明の実施の形態を図面を参照して説明する。
【００１１】
図１は、本発明の実施の形態に係るレンズ鏡筒の収納位置（沈胴位置）を示すレンズ鏡筒の断面図である。図２は、図１と異なる断面におけるレンズ鏡筒の収納位置を示すレンズ鏡筒の断面図である。図３は、レンズ鏡筒の全体の構成を示す分解斜視図である。
【００１２】
図１乃至図３において、レンズ鏡筒は、第１レンズ群１、１群レンズ駆動部２、進退筒３、第１地板部材５、バリア部材６、７、バリア駆動部８、第２レンズ群１１、第２レンズ保持部材１２、直進筒１６、カム筒１７、固定筒１９、固定地板部材２０等を備えている。
【００１３】
レンズ鏡筒は、収納位置（沈胴位置）と撮影位置との間を光軸方向に進退可能に構成されている。１群レンズ駆動部（フォーカス駆動部）２は、第１レンズ群１を保持する第１レンズ保持部材２０１を備えており、第１レンズ群１の光軸方向の位置を移動させるフォーカス動作を行う。進退筒３は、進退筒自身の回転規制のための凸部３ａを外周部に備えると共に、位置決め部３ｅを備えている。進退筒３の内周部には、１群レンズ駆動部２が取り付けられ、進退筒３の外周部には、カムフォロア４が圧入され固定されている。第１地板部材５は、第１レンズ保持部材２０１の副ガイド部２０１ｂ（後述）と係合するガイド軸部５ａが一体で形成されており、進退筒３の内周部に取り付けられる。
【００１４】
バリア部材６、７は、第１レンズ群１を保護する部材であり、第１地板部材５に対し光軸方向と交差する方向に回動可能に取り付けられる。バリア駆動部８は、バリア部材６、７の開閉動作を行うものであり、進退筒３及び第１地板部材５に取り付けられ固定される。カバー部材９は、バリア部材６、７の前面側を覆う部材であり、レンズ鏡筒の前面側に配置される開口部９ａを備えている。キャップ部材１０は、カバー部材９の前面側を覆う部材である。
【００１５】
第２レンズ保持部材１２は、第２レンズ群１１を保持する部材であり、複数の凸部１２ａ及びカムフォロア部１２ｂを外周部に備えている。シャッタ駆動機構部１３は、第２レンズ保持部材１２に取り付けられるものであり、絞り・シャッタ部材１４を開閉する。絞り・シャッタ部材１４は、第２レンズ保持部材１２に取り付けられ、シャッタ駆動機構部１３により開閉動作が行われる。カバー部材１５は、絞り・シャッタ部材１４を覆う部材である。
【００１６】
直進筒１６は、進退筒３及び第２レンズ保持部材１２の外側に配置される概略円筒状の部材であり、直進ガイド溝部１６ａ、直進ガイド溝部１６ｂ、凸部１６ｃ、凸部１６ｄを備えている。直進ガイド溝部１６ａ及び１６ｂは、直進筒１６の外周部から内周部にかけて光軸方向に沿う状態に配設されており、進退筒３の凸部３ａ、第２レンズ保持部材１２の凸部１２ａとそれぞれ係合される。凸部１６ｃ及び１６ｄは、進退筒３の外周部に配設されている。
【００１７】
カム筒１７は、直進筒１６の外側に配置される概略円筒状の部材であり、ギア部１７ａ、溝部１７ｂ、カム部１７ｃ、カム部１７ｄを備えている。ギア部１７ａは、カム筒１７の外周部に配設されており、ギア部材２１と噛み合う。溝部１７ｂは、カム筒１７の外周面に対して同心状に内周側に配設されており、直進筒１６の凸部１６ｃと係合される。これにより、カム筒１７と直進筒１６とは互いに回動可能となる。カム部１７ｃ、１７ｄは、それぞれ、進退筒３のカムフォロア４、第２レンズ保持部材１２のカムフォロア部１２ｂとカム結合される。カム筒１７の外周部には、カムフォロア１８が圧入され固定されている。
【００１８】
固定筒１９は、カム筒１７の外側に配置される概略円筒状の部材であり、カム部１９ａ、直進ガイド溝部１９ｂを備えている。カム部１９ａは、固定筒１９の内周部に配設されており、カム筒１７のカムフォロア１８とカム結合される。直進ガイド溝部１９ｂは、固定筒１９の内周部に配設されており、直進筒１６の凸部１６ｄと係合される。固定地板部材２０は、固定筒１９の端面に対しネジにより固定される部材であり、バリア部材６、７を開閉動作させるためのバリアカム部２０ａを備えている。固定地板部材２０は、不図示のカメラ本体に固定される。
【００１９】
ギア部材２１は、カム筒１７のギア部１７ａと噛み合う部材であり、回転軸部材２２が圧入され固定される軸穴部を備えており、不図示の駆動源により回転駆動される。回転軸部材２２は、ギア部材２１の上記軸穴部に固定されることでギア部材２１を支持する部材であり、固定筒１９に固定される。光学部材２３は、固定地板部材２０に取り付けられる。ＣＣＤ２４は、固定地板部材２０に所定の固定方法により固定され且つ結線される撮像素子であり、光学部材２３を介して被写体の光学像が結像されるピント面（受光面）を有する。
【００２０】
図４は、１群レンズ駆動部２が進退筒３に取り付けられた状態を示す斜視図である。図５は、１群レンズ駆動部２を別方向から見た状態を示す斜視図である。
【００２１】
図４及び図５において、進退筒３は一部を切断した状態を図示しており、また、地板部材５は一部（ガイド軸部５ａ）のみ図示している。１群レンズ駆動部２は、上記第１レンズ保持部材２０１の他に、ガイド部材２０２、ネジ部材２０３、ナット部材２０４、バネ部材２０５、ギア部材２０６、段ギア部材２０７、ステッピングモータ２０８、ギア部材２０９を備えている。
【００２２】
第１レンズ保持部材２０１は、第１レンズ群１を保持する本体部（保持部）、主ガイド部２０１ａ、副ガイド部２０１ｂ、受け部２０１ｃ、回り止め部２０１ｄを備えている。主ガイド部２０１ａは、第１レンズ保持部材２０１と一体で形成されると共に、ガイド部材２０２が係合（挿入）される穴部を備えており、第１レンズ群１を光軸方向にガイドするガイド機能を有する。副ガイド部２０１ｂは、第１地板部材５に一体で形成されたガイド軸部５ａに係合し、ガイド機能及び第１レンズ保持部材２０１の回転を阻止する（振れ止め）機能を有する。
【００２３】
ガイド部材２０２は、第１レンズ保持部材２０１の主ガイド部２０１ａの穴部に係合し、第１レンズ保持部材２０１を光軸方向にガイドする部材である。ガイド部材２０２は、進退筒３の位置決め部３ｅ（図７参照）と第１地板部材５の位置決め部５ｇ（図９参照）とにより位置決めされ、第１レンズ保持部材２０１に取り付けられている。ネジ部材２０３は、ギア部２０３ａとネジ部２０３ｂを備えている。ナット部材２０４は、ネジ部材２０３のネジ部２０３ｂとネジ結合されると共に、第１レンズ保持部材２０１の受け部２０１ｃに取り付けられており、第１レンズ保持部材２０１の回り止め部２０１ｄにより回転規制されている。
【００２４】
バネ部材２０５は、第１レンズ保持部材２０１の主ガイド部２０１ａの外周側に配置されており、第１レンズ保持部材２０１とナット部材２０４をネジ部材２０３のネジ部２０３ｂへ付勢している。ギア部材２０６は、ネジ部材２０３のギア部２０３ａとギア結合されている。段ギア部材２０７は、ギア部材２０６とギア結合されている。ステッピングモータ２０８は、取り付け部２０８ａにより進退筒３に取り付けられ、第１レンズ保持部材２０１を光軸方向へ進退動作させる駆動力を発生する。ギア部材２０９は、ステッピングモータ２０８に圧入され固定されており、段ギア部材２０７と噛み合う。
【００２５】
図６は、バリア駆動部８の詳細構成を示す分解斜視図である。
【００２６】
図６において、進退筒３は形状の一部を削除し切断した状態を図示している。進退筒３は、凸部３ａ、軸部３ｂ、凸部３ｃ、穴部３ｄを備えている。第１地板部材５は、上記ガイド軸部５ａ（図１参照）の他に、軸部５ｂ、穴部５ｃ、穴部５ｄ、長穴部５ｅ、凸部５ｆを備えている。バリア部材６は、穴部６ａ、ギア部６ｂ、長穴部６ｃを備えている。バリア部材７は、軸部７ａ、ギア部７ｂを備えている。
【００２７】
バリア部材６は、穴部６ａに第１地板部材５の軸部５ｂが挿入されることで第１地板部材５に対してその面内で回動可能に取り付けられると共に、ギア部６ｂがバリア部材７のギア部７ｂとギア結合される。バリア部材７は、軸部７ａが第１地板部材５の穴部５ｃに挿入されることで第１地板部材５に対してその面内で回動可能に取り付けられると共に、ギア部７ｂがバリア部材６のギア部６ｂとギア結合される。
【００２８】
第１バリア駆動部材８０１は、凸部８０１ａ、軸部８０１ｂ、バネ掛け部８０１ｃ、段軸部８０１ｄ、凸部８０１ｅを備えている。凸部８０１ａは、第１地板部材５の長穴部５ｅを貫通してバリア部材６の長穴部６ｃに連結される。軸部８０１ｂは、第１地板部材５の穴部５ｄに係合され且つ回動可能に構成されると共に、第１レンズ群１の外周側で且つ光軸と平行に配置される。
【００２９】
第２バリア駆動部材８０２は、内径部８０２ａ、内径部８０２ｂ、バネ掛け部８０２ｃ、バネ掛け部８０２ｄ、レバー腕部８０２ｅ、切り欠き部８０２ｆを備えている。第２バリア駆動部材８０２は、第１バリア駆動部材８０１と同軸上に配置される。内径部８０２ａは、進退筒３の軸部３ｂを回動可能に軸支する。内径部８０２ｂは、第１バリア駆動部材８０１の段軸部８０１ｄを回動可能に軸支する。レバー腕部８０２ｅは、進退筒３の穴部３ｄを貫通する状態に配置され、バリア開閉動作に応じて、固定地板部材２０のバリアカム部２０ａとの当接が外れた状態またはバリアカム部２０ａと当接する状態となる。
【００３０】
第２地板部材８０３は、穴部８０３ａ、穴部８０３ｂを備えている。穴部８０３ａは、第２バリア駆動部材８０２の円筒形状部分と係合することで第２バリア駆動部材８０２を回動可能に軸支する。穴部８０３ｂには、第２バリア駆動部材８０２のバネ掛け部８０２ｃが貫通される。
【００３１】
第１バネ部材８０４は、第１バリア駆動部材８０１及び第２バリア駆動部材８０２と同軸上で且つ第２バリア駆動部材８０２の外径側に配置され、第１バリア駆動部材８０１のバネ掛け部８０１ｃと第２バリア駆動部材８０２のバネ掛け部８０２ｃに取り付けられる。第１バネ部材８０４により、第１バリア駆動部材８０１と第２バリア駆動部材８０２が連結される。
【００３２】
第２バネ部材８０５は、第２バリア駆動部材８０２のバネ掛け部８０２ｄと進退筒３の凸部３ｃに取り付けられる。第２バネ部材８０５は、第１バネ部材８０４により連結されている第１バリア駆動部材８０１及び第２バリア駆動部材８０２を時計回り方向（バリア開方向）へ付勢する。
【００３３】
ここで、第１バネ部材８０４により連結されている第１バリア駆動部材８０１と第２バリア駆動部材８０２において、第１バリア駆動部材８０１の凸部（不図示）が、第２バリア駆動部材８０２の切り欠き部８０２ｆにはまり込んでいる。これにより、第１バネ部材８０４をチャージする方向の力が加わった場合にのみ、第１バリア駆動部材８０１と第２バリア駆動部材８０２は、切り欠き部８０２ｆの角度分互いに回動可能となっている。
【００３４】
次に、上記のごとく構成された本実施の形態のレンズ鏡筒の各種動作について図７乃至図１５を参照しながら詳細に説明する。
【００３５】
まず、レンズ鏡筒全体（レンズ鏡筒を構成する各部材）の光軸方向における進退動作について説明する。
【００３６】
図７は、レンズ鏡筒を該鏡筒が撮影位置（ＷＩＤＥ位置）にある状態で示す断面図である。図８は、撮影位置（ＷＩＤＥ位置）にあるレンズ鏡筒を図７と異なる断面で示す断面図である。図９は、レンズ鏡筒を該鏡筒が別の撮影位置（ＴＥＬＥ位置）にある状態で示す断面図である。図１０は、別の撮影位置（ＴＥＬＥ位置）にあるレンズ鏡筒を図９と異なる断面で示す断面図である。
【００３７】
図７乃至図１０において、不図示の駆動源によりギア部材２１が回転させられると、ギア部材２１とカム筒１７のギア部１７ａとが噛み合っているので、カム筒１７は、回動すると共に光軸方向へ進退動作する。即ち、カム筒１７のカムフォロア１８と固定筒１９のカム部１９ａとがカム結合されているので、カム筒１７は、不図示のカム軌跡に沿って光軸方向へ進退動作する。このとき、直進筒１６は、凸部１６ｄと固定筒１９の直進ガイド溝部１９ｂとの係合により光軸回りの回転を阻止された状態で、凸部１６ｃとカム筒１７の溝部１７ｂとの係合によりカム筒１７と一体となって光軸方向へ進退動作する。
【００３８】
カム筒１７が回動すると、進退筒３は、凸部３ａと直進筒１６の直進ガイド溝部１６ａとの係合により光軸回りの回転を阻止された状態で、カムフォロア４と直進筒１６の凸部１６ｃとの係合により不図示のカム軌跡に沿って光軸方向へ進退動作する。同様に、第２レンズ保持部材１２は、凸部１２ａと直進筒１６の直進ガイド溝部１６ｂとの係合により光軸回りの回転を阻止された状態で、カムフォロア部１２ｂとカム筒１７のカム部１７ｄとの係合により不図示のカム軌跡に沿って光軸方向へ進退動作する。
【００３９】
これにより、レンズ鏡筒は、収納位置（図１、図２）から撮影位置（図７、図８）であるＷＩＤＥ（Wide Angle:広角側）位置状態となる。また、レンズ鏡筒は、ＷＩＤＥ位置状態から撮影位置（図９、図１０）であるＴＥＬＥ（Telescope:望遠側）位置状態へズーム動作を行う。
【００４０】
次に、レンズ鏡筒のフォーカス動作について説明する。
【００４１】
１群レンズ駆動部２のモータ２０８に不図示の配線を介して所定の通電パターンで電力が供給されると、ギア部材２０９が所定の方向に回転し、その回転力がギア部材２０７、ギア部材２０６、ギア部２０３ａに伝達され、ネジ部材２０３が回転する。ネジ部材２０３が回転すると、その回転力がナット部材２０４に伝達される。ナット部材２０４と第１レンズ保持部材２０１は、バネ部材２０５によりネジ部材２０３のネジ部２０３ｂに付勢されているので、一体となって光軸方向へ進退動作する。
【００４２】
このように、１群レンズ駆動部２により第１レンズ群１の光軸方向の位置を移動させることでフォーカス動作が行われる。本実施形態の場合、レンズ鏡筒が上記撮影位置の時のみフォーカス動作が行われる。図７及び図９の主ガイド部２０１ａの被写体側のフォーカスストローク領域Ｌ１と、主ガイド部２０１ａのＣＣＤ側のフォーカスストローク領域Ｌ２との合計Ｌ１＋Ｌ２が、第１レンズ群１の移動ストローク(フォーカスストローク)となる。また、図７及び図９のＤが、バリア部材６、７の開閉動作面である。
【００４３】
本実施の形態では、第１レンズ保持部材２０１の主ガイド部２０１ａの被写体側のフォーカスストローク領域Ｌ１は、バリア部材６、７の開閉動作面Ｄと光軸方向に重なるように設定されている。
【００４４】
図１６に第１レンズ保持部材２０１の主ガイド部２０１ａがバリア部材６、７の開閉動作面Ｄまで移動した状態を示す。バリア部材６、７の開状態で第１レンズ群もバリア部材６、７の開閉動作面Ｄまで移動した状態である。このようにすることによって、Ｌ１＋Ｌ２でストローク領域を保ったままカメラを小型化することができる。
【００４５】
次に、レンズ鏡筒のバリア開閉動作について説明する。
【００４６】
図１１は、バリア閉状態におけるバリア駆動部８を示す斜視図、図１２は、バリア開状態におけるバリア駆動部８を示す斜視図、図１３は、バリア部材６、７を開く方向へ外力が加わった状態におけるバリア駆動部８を示す斜視図である。図１４は、バリア閉状態におけるバリア駆動部を示す正面図、図１５は、バリア開状態におけるバリア駆動部を示す正面図である。
【００４７】
図１１乃至図１５において、進退筒３と固定地板部材２０は一部のみ図示している。まず、レンズ鏡筒の収納位置（図１、図２）では、バリア６、７は閉状態（図１１、図１４）である。このときは、第２バリア駆動部材８０２は、レバー腕部８０２ｅが固定地板部材２０のバリアカム部２０ａと当接し、第２バネ部材８０５をチャージして反時計回り方向へ回転している。また、第１バネ部材８０４により第２バリア駆動部材８０２と連結されている第１バリア駆動部材８０１も、反時計回り方向へ回転した状態となっている。
【００４８】
バリア部材６は、長穴部６ｃが第１バリア駆動部材８０１の凸部８０１ａに連結されているので、第１バリア駆動部材８０１の反時計回り方向回転により穴部６ａを中心に時計回り方向へ回転した状態になっている。また、バリア部材７は、ギア部７ｂがバリア部材６のギア部６ｂとギア結合されているので、軸部７ａを中心に反時計回り方向へ回転した状態になっている。これにより、バリア部材６、７は閉状態（図１１、図１４）となっている。
【００４９】
このようなバリア閉状態において、バリア部材６、７を開く方向への不測の外力が加わったときは、第１バリア駆動部材８０１が時計回り方向へ回転させられることになる。上述したように、第１バネ部材８０４により連結されている第１バリア駆動部材８０１と第２バリア駆動部材８０２は、第１バネ部材８０４をチャージする方向に切り欠き部８０２ｆの角度分、互いに回動可能となっている。第１バネ部材８０４がチャージされることで、機構的に無理が生じることを吸収し回避している。
【００５０】
次に、レンズ鏡筒が撮影位置（図７、図８）になると、バリア開状態（図１２、図１５）となる。このときは、上述したレンズ鏡筒全体の進退動作により、収納位置から撮影位置への進退筒３の光軸方向の移動に伴い、第２バリア駆動部材８０２のレバー腕部８０２ｅが固定地板部材２０のバリアカム部２０ａとの当接から外れていく。これに伴い、第２バネ部材８０５の付勢方向（時計回り方向）へ第２バリア駆動部材８０２が回転し、第１バネ部材８０４により第２バリア駆動部材８０２と連結されている第１バリア駆動部材８０１も、時計回り方向へ回転する。
【００５１】
バリア部材６は、長穴部６ｃが第１バリア駆動部材８０１の凸部８０１ａに連結されているので、穴部６ａを中心に反時計回り方向へ回転する。また、バリア部材７は、ギア部７ｂがバリア部材６のギア部６ｂとギア結合されているので、軸部７ａを中心に時計回り方向へ回転する。これに伴い、第１地板部材５の凸部５ｆとバリア部材７の側面とが当接する。これにより、バリア部材６、７は開状態（図１２、図１５）となる。
【００５２】
以上説明したように、本実施の形態によれば、バリア部材６、７の開閉動作面Ｄと、第１レンズ保持部材２０１の主ガイド部２０１ａの被写体側のフォーカスストローク領域Ｌ１とを、光軸方向に重なるように構成している。これにより、従来技術のようにバリア開閉動作面とフォーカスストローク領域とを光軸方向に直列に構成することが不要となるため、レンズ鏡筒の収納位置での長さ（沈胴長）を短くすることが可能となる。
【００５３】
また、上記構成により、フォーカスストロークを確保した上で、第１レンズ保持部材２０１の主ガイド部２０１ａのガイド部材２０２に対する係合長を長くすることが可能となり、光軸方向に対する第１レンズ群１の傾き（倒れ）を抑えることが可能となる。これにより、精度の高いレンズ鏡筒とすることが可能となる。
【００５４】
また、第１レンズ保持部材２０１の主ガイド部２０１ａを該第１レンズ保持部材２０１と一体で形成している。そのため、第１レンズ保持部材２０１により保持する第１レンズ群１の光軸と、第１レンズ保持部材２０１の主ガイド部２０１ａにおけるガイド部材２０２が係合される穴部の軸方向中心線との平行度を確保することが容易になる。これにより、精度の高いフォーカス機構を実現することが可能となる。
【００５５】
また、第１地板部材５に、第１レンズ保持部材２０１の副ガイド部２０１ｂと係合するガイド軸部５ａを一体で形成している。これにより、副ガイド部２０１ｂ側にはガイド部材２０２のような部品を設けることが不要となるため、部品点数及びコストを削減することが可能となる。更に、副ガイド部２０１ｂ側にはガイド部材２０２を位置決めするための位置決め部３ｅ部を設けることも不要となるため、光軸方向のスペースを確保することが可能となる。
【００５６】
［他の実施の形態］
上記実施の形態では、レンズ鏡筒について説明したが、本発明は、レンズ鏡筒が装着される撮像装置にも適用することが可能である。
【図面の簡単な説明】
【００５７】
【図１】本発明の実施の形態に係るレンズ鏡筒を、該鏡筒がその収納位置（沈胴位置）にある状態で示す断面図である。
【図２】沈胴位置にあるレンズ鏡筒を図１と異なる断面で示す断面図である。
【図３】レンズ鏡筒の全体の構成を示す分解斜視図である。
【図４】１群レンズ駆動部が進退筒に取り付けられた状態を示す斜視図である。
【図５】１群レンズ駆動部を別方向から見た状態を示す斜視図である。
【図６】バリア駆動部の詳細構成を示す分解斜視図である。
【図７】レンズ鏡筒の撮影位置（ＷＩＤＥ位置）を示す断面図である。
【図８】撮影位置（ＷＩＤＥ位置）にあるレンズ鏡筒を図７と異なる断面で示す断面図である。
【図９】レンズ鏡筒を、該鏡筒が別の撮影位置（ＴＥＬＥ位置）にある状態で示す断面図である。
【図１０】別の撮影位置（ＴＥＬＥ位置）にあるレンズ鏡筒を図９と異なる断面で示す断面図である。
【図１１】バリア閉状態におけるバリア駆動部を示す斜視図である。
【図１２】バリア開状態におけるバリア駆動部を示す斜視図である。
【図１３】バリア部材を開く方向へ外力が加わった状態におけるバリア駆動部を示す斜視図である。
【図１４】バリア閉状態にあるバリア駆動部を示す正面図である。
【図１５】バリア開状態にあるバリア駆動部を示す正面図である。
【図１６】主ガイド部が開閉動作面まで移動した状態を示す図である。
【符号の説明】
【００５８】
１  第１レンズ群(撮影レンズ)
２  １群レンズ駆動部（レンズ駆動機構）
５  第１地板部材（鏡筒部材）
５ａ  ガイド軸部（係合部）
６  バリア部材
７  バリア部材
８  バリア駆動部（バリア駆動機構）
２０１  第１レンズ保持部材（レンズ保持部材）
２０１ａ  主ガイド部
２０１ｂ  副ガイド部
２０２  ガイド部材
【図１】
2007140498.tif 000003
【図２】
2007140498.tif 000004
【図３】
2007140498.tif 000005
【図４】
2007140498.tif 000006
【図５】
2007140498.tif 000007
【図６】
2007140498.tif 000008
【図７】
2007140498.tif 000009
【図８】
2007140498.tif 000010
【図９】
2007140498.tif 000011
【図１０】
2007140498.tif 000012
【図１１】
2007140498.tif 000013
【図１２】
2007140498.tif 000014
【図１３】
2007140498.tif 000015
【図１４】
2007140498.tif 000016
【図１５】
2007140498.tif 000017
【図１６】
2007140498.tif 000018